(57)【要約】      （修正有）【課題】ガスタービンの動作状態を監視する際に、異なるセンサからのデータを容易に比較できるシステム及び方法を提供する。【解決手段】複数の区画を表示し、ユーザ入力に基づいて複数の区画のうちの選択された区画上の作成ズームウィンドウを特定し、作成ズームウィンドウに基づいて複数の区画のうちの残りの各区画の対応するズームウィンドウを自動的に決定する。【選択図】図１
2013182617.tif 000002
【特許請求の範囲】
【請求項１】
複数の区画（４０２、４０４、４０６）を表示するためのシステム（３００）であって、
前記複数の区画を表示するように構成された表示インターフェース（３２０）と、
前記複数の区画のうちの選択された区画上にズームウィンドウ（４２０）を作成するように構成されたユーザ入力インターフェース（３３５）と、
処理装置（３１５）であって、
前記作成ズームウィンドウに基づいて前記複数の区画のうちの残りの各区画の対応するズームウィンドウ（４２２）を自動的に決定し、
前記作成ズームウィンドウに基づく前記選択された区画のズームイン領域（６０２）、及び前記残りの区画のそれぞれの前記対応するズームウィンドウに基づく前記残りの区画のそれぞれのズームイン領域（６０４、６０６）を前記表示インターフェース上に同時に表示するように構成された処理装置と
を含む、システム。
【請求項２】
前記表示インターフェース（３２０）は、タービンエンジン（１００）からの動翼パスデータを含む、複数の区画（４０２、４０４、４０６）を表示するように構成される、請求項１記載のシステム（３００）。
【請求項３】
前記表示インターフェース（３２０）は、前記タービンエンジン（１００）の圧縮機組立体（１１４）の段（１３８）からの動翼パスデータを含む、複数の区画（４０２、４０４、４０６）を表示するように構成される、請求項２記載のシステム（３００）。
【請求項４】
前記表示インターフェース（３２０）は、少なくとも切込センサ区画、第１の動翼パスセンサ区画、及び第２の動翼パスセンサ区画を含む、複数の区画（４０２、４０４、４０６）を表示するように構成される、請求項２記載のシステム（３００）。
【請求項５】
前記ユーザ入力インターフェース（３３５）は、ユーザ（３２５）によるカーソルのクリック及びドラッグに応答してズームウィンドウ（４２０）を作成するように構成される、請求項１記載のシステム（３００）。
【請求項６】
前記ユーザ入力インターフェース（３３５）は、ユーザによる前記選択された区画上の点の選択及びズーム倍率の選択に応答して、ズームウィンドウ（４２０）を作成するように構成される、請求項１記載のシステム（３００）。
【請求項７】
前記処理装置（３１５）は、前記選択された区画内の前記作成ズームウィンドウ（４２０）と同じ、残りの各区画内の相対位置に配置される、対応するズームウィンドウ（４２２）を自動的に決定するように構成される、請求項１記載のシステム（３００）。
【請求項８】
複数の区画（４０２、４０４、４０６）を表示インターフェース（３３５）上に表示し、
ユーザ入力に基づいて前記複数の区画のうちの選択された区画上の作成ズームウィンドウ（４２０）を特定し、
前記作成ズームウィンドウに基づいて前記複数の区画のうちの残りの各区画の対応するズームウィンドウ（４２２）を自動的に決定し、
前記作成ズームウィンドウに基づく前記選択された区画のズームイン領域（６０２）、及び前記残りの区画のそれぞれの前記対応するズームウィンドウに基づく前記残りの区画のそれぞれのズームイン領域（６０４、６０６）を前記表示インターフェース上に同時に表示するように構成された、処理装置（３１５）。
【請求項９】
タービンエンジン（１００）からの動翼パスデータを含む、複数の区画（４０２、４０４、４０６）を表示するように構成された、請求項８記載の処理装置（３１５）。
【請求項１０】
前記タービンエンジン（１００）の圧縮機組立体（１１４）の段（１３８）からの動翼パスデータを含む、複数の区画（４０２、４０４、４０６）を表示するように構成された、請求項９記載の処理装置（３１５）。
【発明の詳細な説明】
【技術分野】
【０００１】
本明細書に開示する発明の対象は、一般に、データ区画（ｄａｔａ  ｐｌｏｔ）を表示することに関し、より具体的には、複数のデータ区画のズームイン領域を表示するためのシステム及び方法に関する。
【背景技術】
【０００２】
ガスタービンなどの少なくともいくつかの既知の機械は、ロータ組立体を含む。ロータ組立体は、動作中に振動又は他の挙動を示す可能性がある。そうした挙動を監視し、１つ又は複数の構成要素の動作状態を特定するのに、センサを使用することができる。例えば、センサは、モータ駆動軸にもたらされる振動量、モータ駆動軸の回転位置若しくは偏位、及び／又は機械若しくはモータの他の動作特性を測定することができる。
【０００３】
ガスタービンの調子及び／又は動作状態を監視するのに、オペレータは、そうしたセンサからのデータを記録及び分析することができる。しかし、少なくともいくつかの既知のデータ表示システムでは、ガスタービンの調子及び／又は動作状態を特定するのに、異なるセンサからのデータを容易に比較することができない。具体的には、少なくともいくつかの既知のデータ表示システムでは、データの異なる区画は、一般に、異なるスケールで表示される。さらに、少なくともいくつかの既知のデータ表示システムでは、選択されたデータ区画のズームインのみが、その特定の区画を拡大し、したがって、拡大されたデータは、拡大されていない他のデータ区画のデータと容易に比較することができない。
【先行技術文献】
【特許文献】
【０００４】
【特許文献１】米国特許出願公開第２０１１／０２７７５３５号明細書
【発明の概要】
【０００５】
１つの態様では、複数の区画を表示するためのシステムを提供する。本システムは、複数の区画を表示するように構成された表示インターフェースと、複数の区画のうちの選択された区画上にズームウィンドウを作成するように構成されたユーザ入力インターフェースと、作成ズームウィンドウに基づいて複数の区画のうちの残りの各区画の対応するズームウィンドウを自動的に決定し、作成ズームウィンドウに基づく選択された区画のズームイン領域、及び残りの区画のそれぞれの対応するズームウィンドウに基づく残りの区画のそれぞれのズームイン領域を表示インターフェース上に同時に表示するように構成された処理装置とを含む。
【０００６】
別の態様では、処理装置を提供する。本処理装置は、複数の区画を表示インターフェース上に表示し、ユーザ入力に基づいて複数の区画のうちの選択された区画上の作成ズームウィンドウを特定し、作成ズームウィンドウに基づいて複数の区画のうちの残りの各区画の対応するズームウィンドウを自動的に決定し、作成ズームウィンドウに基づく選択された区画のズームイン領域、及び残りの区画のそれぞれの対応するズームウィンドウに基づく残りの区画のそれぞれのズームイン領域を表示インターフェース上に同時に表示するように構成される。
【０００７】
さらに別の態様では、複数の区画を表示するための方法を提供する。本方法は、複数の区画を表示インターフェース上に表示するステップと、処理装置を使用して複数の区画のうちの選択された区画上の作成ズームウィンドウを特定するステップと、処理装置を使用して作成ズームウィンドウに基づいて複数の区画のうちの残りの各区画の対応するズームウィンドウを自動的に決定するステップと、作成ズームウィンドウに基づく選択された区画のズームイン領域、及び残りの区画のそれぞれの対応するズームウィンドウに基づく残りの区画のそれぞれのズームイン領域を表示インターフェース上に同時に表示するステップとを含む。
【図面の簡単な説明】
【０００８】
【図１】例示的なタービンエンジンの概略断面図である。
【図２】図１に示すタービンエンジンと共に使用することができる、例示的な圧縮機組立体の概略断面図である。
【図３】図２に示す圧縮機組立体からの動翼パスデータを分析及び表示するのに使用することができる、例示的な計算装置のブロック図である。
【図４】図３に示す計算装置の表示インターフェース上に表示することができる、例示的な動翼パスデータのスクリーンショットである。
【図５】図４に示すズームウィンドウを作成するのに使用することができる、例示的な拡大バーの画像である。
【図６】図３に示す計算装置の表示インターフェース上に表示することができる、例示的なズームイン動翼パスデータのスクリーンショットである。
【図７】複数の区画を同時に表示するために実施することができる、例示的な方法のフローチャートである。
【発明を実施するための形態】
【０００９】
本明細書に説明するシステム及び方法により、複数の区画を表示インターフェース上に正確且つ効果的に表示することができる。複数の区画のうちの選択された区画のズームウィンドウを作成することにより、残りの区画のそれぞれの対応するズームウィンドウが自動的に作成される。作成ズームウィンドウ及び対応するズームウィンドウを使用して、選択された区画のズームイン領域、及び残りの区画のそれぞれのズームイン領域が表示される。複数の区画のそれぞれのズームイン領域を表示インターフェース上に同時に表示することにより、ユーザは、異なる区画間のデータを迅速且つ容易に比較することができる。
【００１０】
本明細書に説明する方法及びシステムの技術的効果には、（ａ）複数の区画を表示すること、（ｂ）複数の区画のうちの選択された区画の作成ズームウィンドウを特定すること、（ｃ）作成ズームウィンドウに基づいて複数の区画のうちの残りのそれぞれの区画の対応するズームウィンドウを自動的に決定すること、並びに（ｄ）作成ズームウィンドウに基づく選択された区画のズームイン領域と、残りの区画のそれぞれの対応するズームウィンドウに基づく残りの区画のそれぞれのズームイン領域とを同時に表示することの少なくとも１つが含まれる。
【００１１】
図１は、例示的なタービンエンジン１００の概略断面図である。図２は、タービンエンジン１００と共に使用することができる、例示的な圧縮機組立体１１４の概略断面図である。例示的な実施形態では、タービンエンジン１００は、ガスタービンエンジンである。例示的な実施形態が、ガスタービンエンジンに関する限り、本明細書に説明するシステム及び方法は、どんな特定の１つのエンジンにも限定されず、本明細書に説明するシステム及び方法は、他のタービンエンジンと共に、及び／又はタービンエンジンと無関係な用途に使用することができることを、当業者は理解するであろう。
【００１２】
例示的な実施形態では、タービンエンジン１００は、吸入部分１１２、吸入部分１１２の下流の圧縮機組立体１１４、圧縮機組立体１１４の下流の燃焼器組立体１１６、燃焼器組立体１１６の下流のタービン組立体１１８、及び排出部分１２０を含む。例示的な実施形態では、タービン組立体１１８は、ロータ軸１２２を介して圧縮機組立体１１４と連結する。例示的な実施形態では、燃焼器組立体１１６は、複数の燃焼器１２４を含む。燃焼器組立体１１６は、圧縮機組立体１１４と連結し、その結果、各燃焼器１２４は、圧縮機組立体１１４と流体連通する。燃料噴射組立体１２６は、各燃焼器１２４内に連結する。タービン組立体１１８は、圧縮機組立体１１４と、限定されないが、発電機及び／又は機械的駆動装置などの負荷１２８とに連結する。例示的な実施形態では、圧縮機組立体１１４及びタービン組立体１１８はそれぞれ、ロータ組立体１３２を形成するためにロータ軸１２２に連結する、少なくとも１つのロータディスク組立体１３０を含む。
【００１３】
図２に示すように、圧縮機組立体１１４は、ロータ軸１２２に連結する、少なくとも１つのロータ動翼すなわち圧縮機動翼１３４を含む。例示的な実施形態では、圧縮機組立体１１４は、それぞれが圧縮機動翼１３４の列１４０と圧縮機静翼１４４の静止列１４２とを含む、複数の段１３８を含む。例示的な実施形態では、各段１３８は、軸１２２の周囲に離間配置される、３２個の圧縮機動翼１３４を含む。或いは、段１３８は、圧縮機組立体１１４が本明細書に説明するように機能するようにする、任意の数の圧縮機動翼１３４を含む。
【００１４】
各圧縮機動翼１３４は、ロータディスク１４６から半径方向外側に延びる。各ロータディスク１４６は、ロータ軸１２２に連結し、中心軸線１４８の周りに回転する。圧縮機ケーシング１５０が、ロータ軸１２２及び圧縮機静翼１４４の周囲に延在する。各圧縮機静翼１４４は、ケーシング１５０に連結し、ケーシング１５０からロータディスク１４６に向かって半径方向内側に延びる。各圧縮機動翼１３４は、ケーシング１５０に向かって外側に延びており、その結果、各動翼１３４の先端部１５２は、ケーシング１５０の内側表面１５４から半径方向に隙間（図示せず）を隔てて離間する。同様に、各圧縮機静翼１４４は、ロータディスク１４６に向かって内側に延びており、その結果、各圧縮機静翼１４４の先端部１５６は、各ロータディスク１４６の半径方向外側表面１５８から半径方向に隙間（図示せず）を隔てて離間する。
【００１５】
圧縮機組立体１１４の動作状態又は調子を監視するのに、内側表面１５４に連結するセンサ１６０が、圧縮機動翼１３４を監視する。例示的な実施形態では、センサ１６０は、ホール効果センサなどの、磁気的動翼パスセンサである。或いは、センサ１６０は、タービンエンジン１００が本明細書に説明するように機能するようにする、任意のタイプの検出装置である。
【００１６】
圧縮機組立体１１４の動作中、センサ１６０は、動翼パスデータを集める。具体的には、圧縮機動翼１３４がないとき、各センサ１６０は、安定した電圧出力を信号として生成する。圧縮機動翼１３４がセンサ１６０を通過するとき、電圧信号内にパルスが生成され、パルスの高さは、圧縮機動翼１３４とセンサ１６０との間の距離を示す。したがって、センサ１６０は、圧縮機動翼１３４が通過する各時刻を検知し、各パスにおける圧縮機動翼１３４とセンサ１６０との間の距離を測定する。
【００１７】
例示的な実施形態では、各段１３８のセンサ１６０は、圧縮機動翼１３４が通過する各時刻を測定する、少なくとも第１及び第２のセンサを含む。センサ１６０は、段１３８の１回転毎にパルスを生成する切込センサ（ｋｅｙｐｈａｓｏｒ  ｓｅｎｓｏｒ）も含む。したがって、段１３８が３２個の圧縮機動翼１３４を含む実施形態では、段１３８の１回転の間に、第１及び第２のセンサからの動翼パスデータは、３２個のパルスを含むことになり、切込センサからの動翼パスデータは、１つのパルスを含むことになる。
【００１８】
図３は、圧縮機組立体１１４などの圧縮機組立体からの動翼パスデータを分析及び表示するために使用することができる、例示的な計算装置３００のブロック図である。計算装置３００は、少なくとも１つのメモリ装置３１０と、命令を実行するためにメモリ装置３１０に結合するプロセッサ３１５とを含む。いくつかの実施形態では、実行可能な命令は、メモリ装置３１０に記憶される。計算装置３００は、プロセッサ３１５をプログラミングすることにより、本明細書に説明する１つ又は複数の演算を実行する。例えば、プロセッサ３１５は、１つ又は複数の実行可能な命令として演算をエンコードし、メモリ装置３１０内に実行可能な命令を提供することにより、プログラミングすることができる。
【００１９】
プロセッサ３１５は、（例えば、マルチコア構成の）１つ又は複数の処理ユニットを含むことができる。さらに、プロセッサ３１５は、単一のチップ上にメインプロセッサが２次プロセッサと共に存在する、１つ又は複数のヘテロジニアスプロセッサシステムを使用して実装することができる。別の例示的な例として、プロセッサ３１５は、同じタイプの複数のプロセッサを含む対称型マルチプロセッサシステムとすることができる。さらに、プロセッサ３１５は、１つ又は複数のシステム及びマイクロコントローラ、マイクロプロセッサ、縮小命令セット回路（ＲＩＳＣ）、特定用途向け集積回路（ＡＳＩＣ）、プログラマブルロジック回路、フィールドプログラマブルゲートアレイ（ＦＰＧＡ）、及び本明細書に説明する機能を実行することができる他の任意の回路を含む、適当な任意のプログラム可能な回路を使用して実装することができる。
【００２０】
メモリ装置３１０は、実行可能な命令及び／又は他のデータなどの情報を記憶及び検索することができるようにする、１つ又は複数の装置である。メモリ装置３１０には、限定されないが、ダイナミックランダムアクセスメモリ（ＤＲＡＭ）、スタティックランダムアクセスメモリ（ＳＲＡＭ）、固体ディスク、及び／又はハードディスクなどの、１つ又は複数のコンピュータ読取可能媒体を含むことができる。メモリ装置３１０は、限定されないが、アプリケーションソースコード、アプリケーションオブジェクトコード、興味のあるソースコード部分、興味のあるオブジェクトコード部分、設定データ、実行イベント、及び／又は他の任意のタイプのデータを記憶するように構成することができる。
【００２１】
計算装置３００は、プロセッサ３１５に結合する表示インターフェース３２０を含む。表示インターフェース３２０は、以下により詳細に説明するように、ユーザ３２５に情報を表示する。例えば、表示インターフェース３２０は、ブラウン管（ＣＲＴ）、液晶ディスプレイ（ＬＣＤ）、有機ＬＥＤ（ＯＬＥＤ）ディスプレイ、及び／又は「電子インク」ディスプレイなどの表示装置に結合することができるディスプレイアダプタ（図示せず）を含むことができる。いくつかの実施形態では、表示インターフェース３２０は、１つ又は複数の表示装置を含む。
【００２２】
例示的な実施形態では、計算装置３００は、ユーザ入力インターフェース３３５を含む。例示的な実施形態では、ユーザ入力インターフェース３３５は、プロセッサ３１５に結合し、ユーザ３２５からの入力を受け取る。ユーザ入力インターフェース３３５には、例えば、キーボード、ポインティングデバイス、マウス、スタイラス、タッチセンシティブパネル（タッチパッド又はタッチスクリーンなど）、ジャイロスコープ、加速度計、位置検出器、及び／又は音声ユーザ入力インターフェースを含むことができる。タッチスクリーンなどの単一の構成要素は、表示インターフェース３２０の表示装置としても、ユーザ入力インターフェース３３５としても機能することができる。
【００２３】
例示的な実施形態では、計算装置３００は、プロセッサ３１５に結合する通信インターフェース３４０を含む。通信インターフェース３４０は、１つ又は複数の遠隔装置と通信する。遠隔装置と通信するのに、通信インターフェース３４０は、例えば、有線ネットワークアダプタ、無線ネットワークアダプタ、及び／又は移動体通信アダプタを含むことができる。
【００２４】
例示的な実施形態では、動翼パスデータは、通信インターフェース３４０によってセンサ１６０から受け取り、メモリ装置３１０内に記憶される。ユーザ入力インターフェース３３５を使用すれば、ユーザ３２５は、以下に詳細に説明するように、表示インターフェース３２０上で動翼パスデータを選択及び表示することができる。
【００２５】
図４は、計算装置３００の表示インターフェース３２０（どちらも図３に示す）上に表示することができる、例示的な動翼パスデータのスクリーンショット４００である。動翼パスデータを観測及び分析することにより、ユーザ３２５（図３に示す）などのユーザは、圧縮機組立体１１４の潜在的な問題を検出することができる。例えば、動翼パスデータ内の特定の圧縮機動翼１３４に関する電圧パルスが、存在せず、及び／又は異常な高さを有するとき、ユーザ３２５は、圧縮機動翼１３４に潜在的な問題があることを特定することができる。或いは、特に、スクリーンショット４００が動翼パスデータを含むとき、表示インターフェース３２０上に表示されるデータは、他のタービンエンジンデータ又はタービンエンジン用途と無関係なデータを含む、適当な任意のデータとすることができる。
【００２６】
例示的な実施形態では、スクリーンショット４００内の動翼パスデータは、特定の段１３８に関する、切込センサ区画４０２、第１の動翼パスセンサ区画４０４、及び第２の動翼パスセンサ区画４０６を含む。切込センサ区画４０２は、センサ１６０の切込センサからの動翼パスデータを含み、第１の動翼パスセンサ区画４０４は、センサ１６０の第１の動翼パスセンサからの動翼パスデータを含み、第２の動翼パスセンサ区画４０６は、センサ１６０の第２の動翼パスセンサからの動翼パスデータを含む。或いは、スクリーンショット４００は、区画、及び／又は計算装置３００が本明細書に説明するように機能することができるようにするデータを含む。
【００２７】
切込センサ区画４０２、第１の動翼パスセンサ区画４０４、及び第２の動翼パスセンサ区画４０６のそれぞれは、Ｘ軸４１０上の時刻に対するＹ軸４０８上のそれぞれのセンサの電圧信号をプロットする。例示的な実施形態では、各区画４０２、４０４、及び４０６は、Ｙ軸４０８に関して異なるスケールを有するが、すべての区画４０２、４０４、及び４０６は、Ｘ軸４１０に関して同じスケールを有する。或いは、４０２、４０４、及び４０６は、計算装置３００が本明細書に説明するように機能することができるようにする、任意のＹ軸スケール及びＸ軸スケールを有する。
【００２８】
動翼パスデータをより十分に見るのに、ユーザ３２５は、切込センサ区画４０２、第１の動翼パスセンサ区画４０４、及び／又は第２の動翼パスセンサ区画４０６の特定の部分をズームインするのが有利である可能性がある。特定の部分をズームインするのに、ユーザ３２５は、ユーザ入力インターフェース３３５（図３に示す）を使用し、ズームウィンドウ４２０を作成する。１つの実施形態では、ユーザ３２５は、マウスを使用してウィンドウ４２０を作成するためにカーソルをクリック及びドラッグすることにより、ズームウィンドウ４２０を作成する。別の実施形態では、ユーザ３２５は、切込センサ区画４０２、第１の動翼パスセンサ区画４０４、又は第２の動翼パスセンサ区画４０６上の点を選択し、拡大バーのズーム倍率を選択する。或いは、ズームウィンドウ４２０は、計算装置３００が本明細書に説明するように機能することができるようにする、適当な任意の方法を使用して作成することができる。
【００２９】
図５は、ズームウィンドウ４２０（図４に示す）を作成するために使用することができる、例示的な拡大バー５００の画像である。１つの実施形態では、拡大バー５００は、ズームインするために、ユーザ３２５が切込センサ区画４０２、第１の動翼パスセンサ区画４０４、又は第２の動翼パスセンサ区画４０６上の点を選択した後、表示インターフェース３２０上に表示される。拡大バー５００は、ズーム倍率を増加及び／又は減少させる（すなわち、ズームウィンドウ４２０のサイズを増加及び減少させる）ために範囲５０４に沿って調整することができるスライダ５０２を含む。倍率識別子５０６は、現在選択しているズーム倍率（図５では「１２０％」）を表示する。ズーム倍率を調整するのに、ユーザ３２５は、倍率縮小ボタン５１０又は倍率拡大ボタン５１２を選択し、それぞれズーム倍率を減少又は増加させることができる。ユーザ３２５は、マウスを使用して範囲５０４に沿ってスライダ５０２をクリック及びドラッグすることもできる。
【００３０】
再び図４を参照すれば、切込センサ区画４０２、第１の動翼パスセンサ区画４０４、又は第２の動翼パスセンサ区画４０６の１つにおける作成ズームウィンドウ４２０に基づいて、プロセッサ３１５（図３に示す）は、残りの区画における対応するズームウィンドウ４２２を自動的に決定する。例えば、図４に示すように、ユーザは、第１の動翼パスセンサ区画４０４上にズームウィンドウ４２０を作成する。したがって、プロセッサ３１５は、切込センサ区画４０２及び第２の動翼パスセンサ区画４０６に関して対応するズームウィンドウ４２２を自動的に決定する。例示的な実施形態では、対応するズームウィンドウ４２２が、表示インターフェース３２０上に表示される。或いは、対応するズームウィンドウ４２２が、プロセッサ３１５により、やはり自動的に決定されるが、表示インターフェース３２０上に表示されない。
【００３１】
図４に示すように、例示的な実施形態では、対応するズームウィンドウ４２２は、切込センサ区画４０２内のズームウィンドウ４２０と同じサイズを有し、それらの対応する区画内の同じ相対位置に配置される。したがって、関連データは、ズームウィンドウ４２０内のデータ及び対応するズームウィンドウ４２２を同時に見ることにより、容易に比較することができる。
【００３２】
図６は、表示インターフェース３２０（図３に示す）上に表示することができるズームイン動翼パスデータの例示的なスクリーンショット６００である。図６に示すように、ユーザ３２５がズームウィンドウ４２０を作成すると、プロセッサ３１５は、表示インターフェース３２０に、ズームイン切込センサ区画６０２、第１のズームイン動翼パスセンサ区画６０４、及び第２のズームイン動翼パスセンサ区画６０６を自動的に表示させる。ズームイン切込センサ区画６０２は、切込センサ区画４０２の対応するズームウィンドウ４２２に相当し、第１のズームイン動翼パスセンサ区画６０４は、第１の動翼パスセンサ区画４０４のズームウィンドウ４２０に相当し、第２のズームイン動翼パスセンサ区画６０６は、第２の動翼パスセンサ区画４０６の対応するズームウィンドウ４２２に相当する。すなわち、切込センサ区画４０２、第１の動翼パスセンサ区画４０４、及び第２の動翼パスセンサ区画４０６は、ズームウィンドウ４２０に基づいて同期してズームされる。
【００３３】
したがって、選択された区画内のユーザ作成ズームウィンドウ４２０に基づいて、表示インターフェース３２０は、選択された区画のズームイン領域を残りの区画の対応するズームイン領域と共に同時に表示する。これにより、ユーザ３２５は、切込センサ区画４０２、第１の動翼パスセンサ区画４０４、及び第２の動翼パスセンサ区画４０６内の動翼センサデータを迅速且つ容易に比較することができる。
【００３４】
例示的な実施形態では、ズームウィンドウ４２０は、Ｘ軸４１０及びＹ軸４０８の両方に沿って倍率を増加させる。或いは、ズームウィンドウ４２０の寸法に応じて、ズームウィンドウ４２０は、Ｘ軸及びＹ軸の１つのみに沿って倍率を増加させることができる。さらに、例示的な実施形態では、動翼パスデータを比較するのに役立つように、ズームイン区画のすべては、Ｙ軸４０８及びＸ軸４１０の少なくとも１つに関して同じスケールを有する。例えば、図６では、ズームイン切込センサ区画６０２、第１のズームイン動翼パスセンサ区画６０４、及び第２のズームイン動翼パスセンサ区画６０６は、Ｘ軸４１０に沿って同じスケールを有するが、Ｙ軸４０８に沿って異なるスケールを有する。或いは、ズームイン区画６０２、６０４、及び６０６は、適当な任意のスケールを有することができる。
【００３５】
図７は、複数の区画を同時に表示するために実施することができる、例示的な方法７００のフローチャートである。例示的な実施形態では、表示インターフェース３２０（図３に示す）上の区画４０２、４０４、及び４０６（図４に示す）などの複数の区画は、表示インターフェース上に表示７０２される。プロセッサ３１５（図３に示す）などの処理装置は、複数の区画のうちの選択された区画上のズームウィンドウ４２０（図４に示す）などの作成ズームウィンドウを特定７０４する。上述のように、ユーザ入力に応答して、作成ズームウィンドウを作成することができる。
【００３６】
作成ズームウィンドウに基づいて、処理装置は、区画４０２及び４０６の対応するズームウィンドウ４２２（図４に示す）などの、残りの各区画の対応するズームウィンドウを自動的に決定７０６する。作成ズームウィンドウ及び対応するズームウィンドウを使用して、ズームイン区画６０２、６０４、及び６０６などのズームイン領域は、各区画に関して表示インターフェース上に表示７０８される。
【００３７】
本明細書に説明する実施形態により、複数の区画を表示インターフェース上に正確且つ効果的に表示することができる。複数の区画のうちの選択された区画上にズームウィンドウを作成することにより、対応するズームウィンドウは、残りの区画のそれぞれに関して自動的に作成される。作成ズームウィンドウ及び対応するズームウィンドウを使用して、選択された区画のズームイン領域、及び残りの区画のそれぞれのズームイン領域が表示される。複数の区画のそれぞれのズームイン領域を表示インターフェース上に同時に表示することにより、ユーザは、異なる区画間のデータを迅速且つ容易に比較することができる。
【００３８】
本明細書に説明するシステム及び方法は、少なくともいくつかのデータ表示システムと比較すると、複数の区画上のズームイン領域を同時に表示することを可能にする。すなわち、少なくともいくつかの既知のデータ表示システムでは、データの異なる区画が、異なるスケールで表示され、異なる区画を容易に比較することができない。それと対照的に、本明細書に説明するシステム及び方法は、複数の区画からのデータを少なくとも１つの軸に沿って同じスケールで表示することを可能にする。さらに、少なくともいくつかの既知のデータ表示システムでは、選択されたデータ区画上のズームインは、その特定の区画のみを拡大する。それと対照的に、本明細書に説明するシステム及び方法を使用すれば、選択された区画に関して作成されたズームウィンドウに基づいて、対応するズームウィンドウが、残りの区画に関して自動的に作成され、各区画のズームイン領域が、同時に表示される。
【００３９】
本明細書に説明する方法及びシステムは、本明細書に説明する特定の実施形態に限定されない。例えば、各システムの構成要素及び／又は各方法のステップは、本明細書に説明する、他の構成要素及び／又はステップから独立且つ別々に使用及び／又は実施することができる。それに加えて、各構成要素及び／又はステップは、他のシステム、装置、及び方法と共に使用及び／又は実施することもできる。例えば、複数の区画内のデータは、圧縮機組立体動翼パスデータに限定されず、動翼振動データ、又はガスタービンエンジンの動作と無関係なデータさえ含むことができる。
【００４０】
この記述説明は、例を使用し、最良の実施態様を含めて本発明を開示し、さらに、任意の装置又はシステムを作成及び使用すること、並びに統合された任意の方法を実施することを含めて、当業者が本発明を実施することができるようにする。本発明の特許性のある範囲は、特許請求の範囲により規定され、当業者が想起する他の例を含むことができる。そうした他の例は、特許請求の範囲の文言と異ならない構成要素を有する場合、又は特許請求の範囲の文言とほとんど差がない均等な構成要素を含む場合、特許請求の範囲の範囲内にあるものとする。
【００４１】
本発明を様々な特定の実施形態に関して説明してきたが、本発明は、技術的思想及び特許請求の範囲の範囲内で変更して実施することができることを当業者は理解するであろう。
【符号の説明】
【００４２】
１１２  吸入部分
１１４  圧縮機組立体
１１６  燃焼器組立体
１１８  タービン組立体
１２０  排出部分
１２２  ロータ軸
１２４  燃焼器
１２６  燃料噴射組立体
１２８  負荷
１３０  ロータディスク組立体
１３２  ロータ組立体
１３４  圧縮機動翼
１３８  段
１４０  列
１４２  静止列
１４４  圧縮機静翼
１４６  ロータディスク
１４８  中央軸線
１５０  ケーシング
１５２  先端部
１５４  内側表面
１５６  先端部
１５８  半径方向外側表面
１６０  センサ
３００  計算装置
３１０  メモリ装置
３１５  プロセッサ
３２０  表示インターフェース
３２５  ユーザ
３３５  ユーザ入力インターフェース
３４０  通信インターフェース
４００  スクリーンショット
４０２  切込センサ区画
４０４  第１の動翼パスセンサ区画
４０６  第２の動翼パスセンサ区画
４０８  Ｙ軸
４１０  Ｘ軸
４２０  作成ズームウィンドウ
４２２  対応するズームウィンドウ
５００  拡大バー
５０２  スライダ
５０４  範囲
５０６  倍率識別子
５１０  倍率縮小ボタン
５１２  倍率拡大ボタン
６００  スクリーンショット
６０２  ズームイン切込センサ区画
６０４  第１のズームイン動翼パスセンサ区画
６０６  第２のズームイン動翼パスセンサ区画
７００  方法
７０２  複数の区画を表示する
７０４  作成ズームウィンドウを特定する
７０６  対応するズームウィンドウを決定する
７０８  ズームイン領域を表示する
【図１】
2013182617.tif 000003
【図２】
2013182617.tif 000004
【図３】
2013182617.tif 000005
【図４】
2013182617.tif 000006
【図５】
2013182617.tif 000007
【図６】
2013182617.tif 000008
【図７】
2013182617.tif 000009
【外国語明細書】
2013182617000001.pdf